(57)【要約】      （修正有）【課題】メーカー、型式に拘らず、容易に偏光機能を有する光学顕微鏡に変更し、人関節液の結晶鑑別を可能とするアタッチメントユニットを提供する。【解決手段】全ての光学顕微鏡は光源部が円筒となっており、光源部に対して、容易に取り付け可能な機能を有する。また、上下円筒部を重ねることで、下部円筒部３に対し、上部円筒部２は時計方向９０度及び、反時計方向９０度に回転可能とし、結晶色変化を確認することができる。  【選択図】図２
0003175254.tif 000002
【実用新案登録請求の範囲】
【請求項１】
上部より下部の径が大きい上下一対の円筒で構成され、上部円筒部は下部円筒部に対して±９０°方向に回転可能で、上下円筒部に顕微鏡観察が可能な光路を有し、上部円筒部光路には鋭敏色板フィルムフィルムを貼付け、下部円筒部光路には偏光フィルムを貼付け、光学顕微鏡に取り付けて使用することを特徴とするアタッチメントユニット。
【請求項２】
上部円筒部と下部円筒部を重ね合わせることが可能な、請求項１記載のアタッチメントユニット。
【請求項３】
下部円筒部に対し、上部円筒部が回転可能で、回転角度を確認可能とした、請求項１〜２記載のアタッチメントユニット。
【請求項４】
下部円筒部を上部円筒部の径より大きくし、上部円筒部を容易に回転可能とした、請求項１〜３記載のアタッチメントユニット。
【考案の詳細な説明】
【技術分野】
【０００１】
本考案は、痛風の原因である人関節液中の尿酸ナトリウム結晶と、偽痛風の原因である人関節液中のピロリン酸カルシュウム結晶の鑑別に用いる為の、光学顕微鏡に取り付け使用するアタッチメントユニットに関する。
【背景技術】
【０００２】
人関節液中の尿酸ナトリウム結晶と、人関節液中のピロリン酸カルシュウム結晶鑑別は、
痛風と偽痛風の原因を特定する臨床データーとして用いられる。
当該臨床データーは偏光顕微鏡を用いなければ鑑別できない。
しかし、偏光顕微鏡は高価格であり、特定の大規模医療機関での購入は一般的ではあるが、大多数の中小の医療機関ではその目的のためだけに、購入することに対し費用対効果を危惧することが問題となる。
それらの中小の医療機関は検体検査受託会社へ結晶鑑別を、依頼しているのが現状で、
検体検査受託会社への依頼はコスト的には安価であるが、結果判定報告までに時間を要し、
関節痛患者は治療決定まで待たなければならないことが問題となる。
【０００３】
光学顕微鏡を簡易な方法で機能変更する考え方は、結晶鑑別を行いたい中小の医療機関では待望視される。
例えば、非特許文献１には、
市販偏向フィルムを用い結晶の有無を観測する試みる報告も示されている。非特許文献２には関節液中の結晶の見かたが、また非特許文献３には関節液の細胞についての記載がある。しかしながら、結晶判別には偏光顕微鏡での観察が不可欠であるが、一般の検査病院では高価な偏光顕微鏡を所有していないため、保有している一般の光学顕微鏡を用いて結晶を判別する器具が求められていた。
【先行技術文献】
【非特許文献】
【０００４】
【非特許文献１】市販偏光シートを用いた偏光観察（医学検査Vol.60 No5 2011）
【非特許文献２】関節液中の結晶の見かた    (検査と技術vol.20 no.10 1992年9月)
【非特許文献３】関節液の細胞  （一般検査領域における穿刺液細胞アトラス）
【考案の概要】
【考案が解決しようとする課題】
【０００５】
本考案は、このような課題を解決するためになされたものであり、費用対効果を危惧する中小の医療機関へ、メーカー、型式に拘らず、容易に偏光機能を有する光学顕微鏡に変更し、人関節液の結晶鑑別を可能とするアタッチメントユニットを提供することを目的とする。    
【課題を解決するための手段】
【０００６】
本考案は、このような課題を解決するためになされたものであり、以下の（1）〜（４）の構成を備えるものである。
（１）上部より下部の径が大きい上下一対の円筒で構成され、上部円筒部は下部円筒部に対して±９０°方向に回転可能で、上下円筒部に顕微鏡観察が可能な光路を有し、上部円筒部光路には鋭敏色板フィルムを貼付け、下部円筒部光路には偏光フィルムを貼付け、光学顕微鏡に取り付けて使用することを特徴とするアタッチメントユニット。
（２）上部円筒部と下部円筒部を重ね合わせることが可能な、（１）記載のアタッチメントユニット。
（３）下部円筒部に対し、上部円筒部が回転可能で、回転角度を確認可能とした、（１）〜（２）記載のアタッチメントユニット。
（４）下部円筒部を上部円筒部の径より大きくし、上部円筒部を容易に回転可能とした、（１）〜（３）記載のアタッチメントユニット。
である。
【０００７】
本考案は、このような課題を解決するためになされたものであり、アタッチメントユニット図１（１）は、上下二段の円筒部から成り、それらを重ね合わせて使用する。
上部円筒部中央には、光路として直径２０ｍｍの孔が開けられ、そこには、鋭敏色板フィルムを貼り付ける。
一方下部円筒部にも、光路として直径２０ｍｍの孔が開けられ、偏光フィルムを貼り付ける。
上部円筒部は下部円筒部クロス二コル原点に対し、時計及び半時計方向に各々９０°回転可能で、上部円筒部の直径は下部円筒部より１０ｍｍ小さく、下部円筒部に対して回転を容易にし、上部円筒部原点マークと下部円筒部クロス二コル原点マークで、その位置を確認できるようにし、光学顕微鏡のアタッチメント取り付け部(光源部)図５（１５）に、乗せることで、偏光機能を有する光学顕微鏡に変更でき得る、アタッチメントユニットを提供することを目的とする。
【０００８】
本考案は、このような課題を解決するためになされたものであり、光学顕微鏡の接眼レンズ下部偏光フィルムＡ収納部図５（１３）に、偏光フィルを予め挿入し、接眼レンズ下部の偏光フィルとアタッチメントユニットとの間に、位置するステージ図５（１４）に、スライドグラスに検体である関節液を塗布セットし、光学顕微鏡のアタッチメント取り付け部(光源部)図５（１５）に、アタッチメントユニットを乗せ、下部円筒部クロス二コル原点を光学顕微鏡ステージに対しに垂直し、接眼レンズの下部偏光フィルムＡ収納部図５（１３）と、下部円筒部偏光フィルＢ間でクロスニコル状態を作り、関節液の結晶の有無を観察する。
結晶の確認後、上部円筒部原点マークを下部円筒部のクロス二コル原点に合わせ、その時点の結晶の色を確認、上部円筒部原点マークを時計方向に９０°回転させ、再度結晶色の変化を観察し、結晶色の変化により結晶の鑑別を行う、
アタッチメントユニットを提供することを目的とする。
【考案の効果】
【０００９】
アタッチメントユニットを光学顕微鏡に装着し、簡単に偏光顕微鏡機能を有することができるようになる為、中小の医療機関でも容易に人関節液の結晶鑑別が可能となり、即時に痛風又は、偽痛風の判断が行なえ、治療方針をいち早く決定することが可能となる。
【００１０】
上部円筒部を下部円筒部のクロスニコル原点に合わせた時、測定者に対して上部円筒部の垂直方向をＺ軸と表現する場合、Ｚ軸に並行の結晶色が黄色を呈し、Ｚ軸を９０°回転させ、結晶に対しＺ軸が垂直の時、結晶色が青を呈する物を、尿酸ナトリウムと判断する。
ピロリン酸カルシウムは、尿酸ナトリウムの色調変化の逆を呈する。
【図面の簡単な説明】
【００１１】
【図１】本考案のアタッチメントユニット
【図２】本考案のアタッチメントユニットの構成図
【図３】アタッチメントユニットの上部円筒部
【図４】アタッチメントユニットの下部円筒部
【図５】アタッチメントユニットを取り付けた顕微鏡
【考案を実施するための形態】
【実施例１】
【００１２】
アタッチメントユニットは、ポリカーボネイト樹脂を材料とした、上下円筒部からなり、
上部円筒部外寸は、
直径６８ｍｍ
高さ１３ｍｍ
厚み  ５ｍｍ
上部円筒部の上面には直径２０ｍｍの孔を設け、光学顕微鏡の光路とし、その孔には鋭敏色板フィルムを貼付け、上部円筒部原点マークが１ミリ突起している。
【００１３】
また、下部円筒部は、ポリカーボネイト樹脂を材料とし、
下部円筒部外寸は、
直径７８ｍｍ
高さ２２ｍｍ
厚み  ５ｍｍ
上部円筒部の上面には直径２０ｍｍの孔を設け、光学顕微鏡の光路とし、その孔には偏光フィルムBを貼付け、下部円筒部クロス二コル原点マークが１ミリ突起している。
【００１４】
アタッチメントユニット図１（１）を、アタッチメント取り付け部(光源部)の径より大きな円筒形にすることで、大多数の光学顕微鏡の光源部図５（１１）に容易に取り付けることが、可能となるアタッチメントユニット。
【００１５】
結晶鑑別時、顕微鏡観察継続しながら観察でき、上部円筒部Ｚ軸回転レバー図３（６）を摘み,回転位置が指で容易に確認できるよう、下部円筒部に段差図２（１６）を有した、
アタッチメントユニット。
【産業上の利用可能性】
【００１６】
中小医療機関での利用を目的とした考案であり、多くの利用が望める。
【符号の説明】
【００１７】
１  アタッチメントユニット
２  上部円筒部
３  下部円筒部
４  上部円筒部鋭敏色板フィルム
５  上部円筒部光路
６  Ｚ軸回転レバー
７  上部円筒部原点マーク
８  下部偏光フィルム
９  下部円筒部光路
１０  上部勘合部
１１  下部円筒部クロス二コル原点マーク
１２  接眼レンズ
１３  接眼レンズ下部偏光フィルムＡ収納部
１４  ステージ
１５  アタッチメントユニット取付け部(光源部)
１６  下部円筒部段差
【図１】
0003175254.tif 000003
【図２】
0003175254.tif 000004
【図３】
0003175254.tif 000005
【図４】
0003175254.tif 000006
【図５】
0003175254.tif 000007